(57)【要約】【課題】  災害時や遭難時等の緊急時又はキャンプや、登山等の商業電源の取れない無い場所や時において、あらゆる携帯電話機に適応する携帯電話機の充電装置が渇望されている。【解決手段】  携帯充電器本体に備えた手動式発電手段と、手動式発電手段と接続した充電手段と、充電手段と接続させた電源用端子と、電源用ソケットを先端に設け基端に栓刃付きＡＣアダプタを設けた電源用コードと、充電手段と接続させた充電用端子と、充電用ソケットを一端に設け他端に携帯電話機用接続コネクターを備えた充電用コードとを用いて、電源用コードの栓刃付きＡＣアダプタを商業電源に挿通させ、電源用ソケットを携帯充電器本体の電源用端子と接続すると共に、携帯電話機用接続コネクターを携帯電話機の外部接続端子に接続して携帯電話機の電池に充電をする。【選択図】  図１
2006325382.tif 000002
【特許請求の範囲】
【請求項１】
掌に納まる形状とサイズの携帯充電器本体と、該携帯充電器本体に備えた手動式発電手段と、該手動式発電手段と電気的に接続した充電手段と、該充電手段と電気的に接続させた電源用端子と、該電源用端子を挿通させる電源用ソケットを先端に設け基端に栓刃付きＡＣアダプタを設けた電源用コードと、前記充電手段と電気的に接続させた充電用端子と、該充電用端子を挿通させる充電用ソケットを一端に設け他端に携帯電話機用接続コネクターを備えた充電用コードとを用いて、前記電源用コードの栓刃付きＡＣアダプタを商業電源に挿通させ、電源用コードの電源用ソケットを携帯充電器本体の電源用端子と接続すると共に、前記充電用コードの充電用ソケットを携帯充電器本体の充電用端子と接続し、充電用コードの携帯電話機用接続コネクターを携帯電話機に既設された外部接続端子に接続して携帯電話機の電池に充電をすることを特徴とする携帯電話機の充電方法。
【請求項２】
掌に納まる形状とサイズの携帯充電器本体と、該携帯充電器本体に備えた手動式発電手段と、該手動式発電手段と電気的に接続した充電手段と、該充電手段と電気的に接続させた電源用端子と、該電源用端子を挿通させる電源用ソケットを先端に設け基端に栓刃付きＡＣアダプタを設けた電源用コードと、前記充電手段と電気的に接続させた充電用端子と、該充電用端子を挿通させる充電用ソケットを一端に設け他端に携帯電話機用接続コネクターを備えた充電用コードとを用いて、前記電源用コードの栓刃付きＡＣアダプタを商業電源に挿通させ、電源用コードの電源用ソケットを携帯充電器本体の電源用端子と接続して充電手段に充電することと、充電された携帯充電器本体を携帯して、前記充電用コードの充電用ソケットを携帯充電器本体の充電用端子と接続し、充電用コードの携帯電話機用接続コネクターを携帯電話機に既設された外部接続端子に接続して携帯電話機の電池に充電をすることと、を特徴とする携帯電話機の充電方法。
【請求項３】
前記携帯電話機用接続コネクターは充電用コードとコードコネクターを介装して着脱可能とすると共に、異種類の携帯電話機に接続する複数の携帯電話機用接続コネクターを用いることを特徴とする請求項１又は請求項２に記載の携帯電話機の充電方法。
【発明の詳細な説明】
【技術分野】
【０００１】  本発明は携帯電話機の充電方法に関するものであって、更に詳細には、災害時や遭難時等の緊急時又はキャンプ地や僻地等の商業電源の取れない場所や時においても、携帯電話機の蓄電に加え携帯充電器本体の充電手段に電力を蓄電しており、携帯電話機が電池切れに成ると携帯充電器本体から充電でき携帯電話機が長時間にわたって使用できる携帯電話機の充電方法に関するものである。
【背景技術】
【０００２】  従来から、この種の携帯電話機に関する充電方法は各種考慮されており、一般的には商業電源よりコードを延設した充電器によって行われるが、商業電源の取れない場所や時、或いは、外出先等での携帯電話機の充電には苦渋を呈している現状である。【０００３】  例えば、携帯電話機用充電器１は、電源部２ａを有する充電器本体２と、充電器本体２にコード３を介して接続される、携帯電話機Ｐの充電用端子部２０に接続可能な接続プラグ４とを備える。接続プラグ４は、充電器本体２から供給される電力により点灯する発光器１１を備える。接続プラグ４は、発光器１１を点灯／消灯する発光器用のスイッチ１４と、携帯電話機Ｐの充電用端子部２０に係止可能な係止爪９と、押下されたときに係止爪９の係止を解除する操作ボタン１０とを備えると共に、発光器１１用のスイッチ１４が操作ボタン１０で操作されて、操作ボタン１０が押下されたときに発光器１１を点灯するように構成されてもよい。また、接続プラグ４のケース７を透明または半透明に構成し、ケース７内部に発光器１１を設けるようにしてもよいもの（特許文献１参照）や、避難場所に設けた商用交流電源コンセントに差し込まれる電源プラグ２１と、その商用交流電源を所定の直流電圧に変換するＡＣ／ＤＣ回路２６と、外部の発電設備などから供給される直流電源と接続するコネクタ２２を有し、上記ＡＣ／ＤＣ回路２６又はコネクタ２２より供給される直流電圧を携帯電話機に必要な所定の直流電圧に変換するＤＣ／ＤＣ回路２７と、その同一又は異なる電圧の出力を外部に取り出す複数の外部接続線２３と、それら複数の外部接続線の各々の先端部に設けられ、携帯電話機の信号電源兼用コネクタに差し込まれる雄型コネクタ２４とを具備する構成とするものや（特許文献２参照）や、電源コンセントに差し込み可能なプラグ部４を設けたＡＣアダプタ２を有して、携帯電話５の充電用端子に掛合可能な給電用端子１０を設け、携帯電話５の外部機器接続端子部６と接続可能なコネクタ手段例えば、卓上ホルダ３を具えた充電器具１において、外部機器接続端子部６の少なくともデータ入出力端子に接続可能な卓上ホルダ３の接続ポート１２に接続したマイクロコンピュータ１４及びこのマイクロコンピュータ１４に接続した補助記憶手段１５とを具え、マイクロコンピュータ１４のＲＯＭに格納した制御プログラムの下に、携帯電話の補助メモリに記憶されているデータを補助記憶手段１５にバックアップコピーとして上書き保存するもの（特許文献３参照）等が開示されている。
【特許文献１】特開２００５−０１２８６９号公報
【特許文献２】特開２００４−３６４３４７号公報
【特許文献３】特開２００４−０３２４８０号公報
【発明の開示】
【発明が解決しようとする課題】
【０００４】  然し乍ら、先に開示された、携帯電話機用充電器１は、電源部２ａを有する充電器本体２と、充電器本体２にコード３を介して接続される、携帯電話機Ｐの充電用端子部２０に接続可能な接続プラグ４とを備える。接続プラグ４は、充電器本体２から供給される電力により点灯する発光器１１を備える。接続プラグ４は、発光器１１を点灯／消灯する発光器用のスイッチ１４と、携帯電話機Ｐの充電用端子部２０に係止可能な係止爪９と、押下されたときに係止爪９の係止を解除する操作ボタン１０とを備えると共に、発光器１１用のスイッチ１４が操作ボタン１０で操作されて、操作ボタン１０が押下されたときに発光器１１を点灯するように構成されてもよい。また、接続プラグ４のケース７を透明または半透明に構成し、ケース７内部に発光器１１を設けるようにしてもよいものでは、暗闇でも充電のための接続が行われるものであるが、電源が近くに必要としており、段落番号０００２及び図１には接続プラグがカープラグとの記載されているが、携帯充電器本体が介装されるものではなく、更に、あらゆる携帯電話機に適応する開示はないものである。【０００５】  更に、避難場所に設けた商用交流電源コンセントに差し込まれる電源プラグ２１と、その商用交流電源を所定の直流電圧に変換するＡＣ／ＤＣ回路２６と、外部の発電設備などから供給される直流電源と接続するコネクタ２２を有し、上記ＡＣ／ＤＣ回路２６又はコネクタ２２より供給される直流電圧を携帯電話機に必要な所定の直流電圧に変換するＤＣ／ＤＣ回路２７と、その同一又は異なる電圧の出力を外部に取り出す複数の外部接続線２３と、それら複数の外部接続線の各々の先端部に設けられ、携帯電話機の信号電源兼用コネクタに差し込まれる雄型コネクタ２４とを具備する構成とするものでは、避難場所で使用するものであるが、避難場所に商用交流電源コンセントに代わるコンセントを設けるもので、大掛かりな装置と成るものである。【０００６】  更には、電源コンセントに差し込み可能なプラグ部４を設けたＡＣアダプタ２を有して、携帯電話５の充電用端子に掛合可能な給電用端子１０を設け、携帯電話５の外部機器接続端子部６と接続可能なコネクタ手段例えば、卓上ホルダ３を具えた充電器具１において、外部機器接続端子部６の少なくともデータ入出力端子に接続可能な卓上ホルダ３の接続ポート１２に接続したマイクロコンピュータ１４及びこのマイクロコンピュータ１４に接続した補助記憶手段１５とを具え、マイクロコンピュータ１４のＲＯＭに格納した制御プログラムの下に、携帯電話の補助メモリに記憶されているデータを補助記憶手段１５にバックアップコピーとして上書き保存するものでは、充電するための機能を用いて携帯電話機の補助メモリのバックアップコピーをするもので、携帯充電器本体が介装されるものではなく、更に、あらゆる携帯電話機に適応する開示はないものである。
【課題を解決するための手段】
【０００７】  本発明の携帯電話機の充電方法は、前述の課題に鑑み、鋭意研鑽の結果、掌に納まる携帯充電器本体と、携帯充電器本体に備えた手動式発電手段と、手動式発電手段と接続した充電手段と、充電手段と接続させた電源用端子と、電源用端子を挿通させる電源用ソケットを先端に設け基端に栓刃付きＡＣアダプタを設けた電源用コードと、充電手段と接続させた充電用端子と、充電用端子を挿通させる充電用ソケットを一端に設け他端に携帯電話機用接続コネクターを備えた充電用コードとを用いて、電源用コードの栓刃付きＡＣアダプタを商業電源に挿通させ、電源用ソケットを携帯充電器本体の電源用端子と接続すると共に、充電用コードの充電用ソケットを携帯充電器本体の充電用端子と接続し、携帯電話機用接続コネクターを携帯電話機の外部接続端子に接続して携帯電話機の電池に充電をするものであり、又は、電源用コードの栓刃付きＡＣアダプタを商業電源に挿通させ、電源用コードの電源用ソケットを携帯充電器本体の電源用端子と接続して充電手段に充電することと、充電された携帯充電器本体を携帯して、充電用コードの充電用ソケットを携帯充電器本体の充電用端子と接続し、携帯電話機用接続コネクターを携帯電話機の外部接続端子に接続して携帯電話機の電池に充電をするものであり、更に、携帯電話機用接続コネクターは充電用コードとコードコネクターを介装して着脱可能とすると共に、異種類の携帯電話機に接続する複数の携帯電話機用接続コネクターを用いるものである。
【発明の効果】
【０００８】  本発明の携帯電話機の充電方法は、商業電源から携帯充電器本体と携帯電話機の電池に同時に充電することにより大量の電力を蓄電することができ、商業電源の取れない場所でも長時間にわたって携帯電話機の使用が可能となるものであり、又は、充電された携帯充電器本体と共に携帯電話機を携帯することで何時でも何処でも携帯電話機の電池への充電を可能とするものである。
【発明を実施するための最良の形態】
【０００９】  本発明は携帯電話機の充電方法に関するものであって、更に詳細には、災害時や遭難時等の緊急時又はキャンプ地や僻地等の商業電源の取れない場所や時においても、携帯電話機の蓄電に加え携帯充電器本体の充電手段に電力を蓄電しており、携帯電話機が電池切れに成ると携帯充電器本体から充電でき携帯電話機が長時間にわたって使用できる携帯電話機の充電方法に関するものであり、請求項１に記載の携帯電話機の充電方法は、掌に納まる形状とサイズの携帯充電器本体１と、該携帯充電器本体１に備えた手動式発電手段２と、該手動式発電手段２と電気的に接続した充電手段３と、該充電手段３と電気的に接続させた電源用端子４と、該電源用端子４を挿通させる電源用ソケット５ａを先端に設け基端に栓刃付きＡＣアダプタ５ｂを設けた電源用コード５と、前記充電手段３と電気的に接続させた充電用端子６と、該充電用端子６を挿通させる充電用ソケット７ａを一端に設け他端に携帯電話機用接続コネクター７ｂを備えた充電用コード７とを用いて、前記電源用コード５の栓刃付きＡＣアダプタ５ｂを商業電源Ｂに挿通させ、電源用コード５の電源用ソケット５ａを携帯充電器本体１の電源用端子４と接続すると共に、前記充電用コード７の充電用ソケット７ａを携帯充電器本体１の充電用端子６と接続し、充電用コード７の携帯電話機用接続コネクター７ｂを携帯電話機Ａに既設された外部接続端子に接続して携帯電話機Ａの電池に充電をすることを特徴とするものである。【００１０】  更に、請求項２に記載の携帯電話機の充電方法は、掌に納まる形状とサイズの携帯充電器本体１と、該携帯充電器本体１に備えた手動式発電手段２と、該手動式発電手段２と電気的に接続した充電手段３と、該充電手段３と電気的に接続させた電源用端子４と、該電源用端子４を挿通させる電源用ソケット５ａを先端に設け基端に栓刃付きＡＣアダプタ５ｂを設けた電源用コード５と、前記充電手段３と電気的に接続させた充電用端子６と、該充電用端子６を挿通させる充電用ソケット７ａを一端に設け他端に携帯電話機用接続コネクター７ｂを備えた充電用コード７とを用いて、前記電源用コード５の栓刃付きＡＣアダプタ５ｂを商業電源Ｂに挿通させ、電源用コード５の電源用ソケット５ａを携帯充電器本体１の電源用端子４と接続して充電手段３に充電することと、充電された携帯充電器本体１を携帯して、前記充電用コード７の充電用ソケット７ａを携帯充電器本体１の充電用端子６と接続し、充電用コード７の携帯電話機用接続コネクター７ｂを携帯電話機Ａに既設された外部接続端子に接続して携帯電話機Ａの電池に充電をすることと、を特徴とするものである。【００１１】  更には、請求項３に記載の携帯電話機の充電方法は、請求項１又は請求項２に記載の携帯電話機の充電方法において、前記携帯電話機用接続コネクター７ｂは充電用コード７とコードコネクター７ｃを介装して着脱可能とすると共に、異種類の携帯電話機Ａに接続する複数の携帯電話機用接続コネクター７ｂを用いることを特徴とするものである。
【実施例】
【００１２】  以下、本発明の携帯電話機の充電方法の実施例の図面を用いて詳細に説明すると、図１は本発明の携帯電話機の充電方法の実施例を説明するための概要図であり、図２は本発明の携帯電話機の充電方法の実施例の携帯充電器本体を説明するための正面図であり、図３は本発明の携帯電話機の充電方法の実施例の携帯充電器本体を説明するための側面説明図であり、図４は本発明の携帯電話機の充電方法の実施例の携帯充電器本体を説明するための側面図であり、図５は本発明の携帯電話機の充電方法の実施例を説明するための部品の平面図である。【００１３】  即ち、本発明の携帯電話機の充電方法のための携帯充電器本体１は、図２乃至図４に図示する如く、表面と裏面と底部とケース側壁で囲った側面がバイク用ヘルメット状の形状で、人間の自然な握り方で握るとすっぽりと左手の掌に納まるサイズのものであり、正面には後述する手動式発電手段２のハンドル杆２ａを備えるものである。【００１４】  そして、手動式発電手段２は携帯充電器本体１に内装された発電軸、コイル、磁気コア等を組設した手動式発電機２ｂと、該手動式発電機２ｂと並設させ機械的に前記発電軸に接続した増速ギアを組み合わせた増速器２ｃと、増速器２ｃから突出させた回転軸２ｄと、該回転軸２ｄに固定した回転板２ｅと、該回転板２ｅにヒンジ機構２ｆを介装して接続したハンドル杆２ａを備えているものである。【００１５】  次に、充電手段３は放電充電可能なバッテリーであり、前記手動式発電手段２と電気的に接続されており、手動式発電手段２で発電した電力を充電すると共に、後述する電源用端子４及び充電用端子６と電気的に接続しているものである。【００１６】  次いで、電源用端子４は充電手段３と電気的に接続させると共に、図４に図示する如く、携帯充電器本体１の後端面に露出させているもので、後述する電源用コード５の電源用ソケット５ａを挿通させ、車両の商業電源Ｂから電力を得て充電手段３に充電をさせるものである。【００１７】  更に、電源用コード５は先端に電源用端子４を挿通させるための電源用ソケット５ａを設けると共に、一定長さのコードを介装して基端には商業電源Ｂに挿通させる栓刃付きＡＣアダプタ５ｂを設けているものである。【００１８】  更には、充電用端子６は充電手段３と電気的に接続させると共に、前記電源用端子４と近設させて携帯充電器本体１の後端面に露出させているもので、後述する充電用コード７の一端に設けた充電用ソケット７ａを挿通させるものである。【００１９】  更に、充電用コード７は一端に前記充電用端子６を挿通させる充電用ソケット７ａを設けると共に、一定長さのコードを介装して他端に携帯電話機用接続コネクター７ｂを備えているものである。【００２０】  そして、本発明の携帯電話機の充電方法は、前記携帯充電器本体１と、電源用コード５と、充電用コード７とを用いて、携帯電話機Ａの電池に充電するものである。【００２１】  つまり、請求項１に記載の携帯電話機の充電方法は、事務所や家庭等の壁面に装備された商業電源Ｂに電源用コード５の基端に設けた栓刃付きＡＣアダプタ５ｂを挿通させ、携帯充電器本体１の電源用端子４に電源用コード５の電源用ソケット５ａを接続した状態で、携帯充���器本体１の充電用端子６を充電用コード７の充電用ソケット７ａに挿通させ、携帯電話機Ａに既設された外部接続端子を充電用コード７の携帯電話機用接続コネクター７ｂに挿通させて携帯電話機Ａの電池にも同時に充電をするものである。【００２２】  次いで、請求項２に記載の携帯電話機の充電方法は、先ず、壁面に装備された商業電源Ｂに電源用コード５の基端に設けた栓刃付きＡＣアダプタ５ｂを挿通させ、携帯充電器本体１の電源用端子４に電源用コード５の電源用ソケット５ａを接続して、充電手段３に充電するもので、経時後充電手段３に一定量の充電がされれば電源用コード５を取り外すものである。【００２３】  そして、充電された携帯充電器本体１を携帯電話機Ａと共に携帯して、携帯電話機Ａの電池に充電が必用な時、携帯充電器本体１の充電用端子６を充電用コード７の充電用ソケット７ａに挿通させ、携帯電話機Ａに既設された外部接続端子を充電用コード７の携帯電話機用接続コネクター７ｂに挿通させて携帯電話機Ａの電池に充電をするものである。【００２４】  更には、携帯電話機Ａは各メーカーにより外部接続端子部位の構造が相違しており、一種類の携帯電話機用接続コネクター７ｂでは全種類の携帯電話機Ａへの接続ができないもので、予め夫々のメーカーの機種に接続可能な複数の携帯電話機用接続コネクター７ｂを用いるものである。【００２５】  つまり、前述の携帯電話機の充電方法に用いる充電用コード７には、携帯電話機用接続コネクター７ｂを着脱自在とするコードコネクター７ｃを介装しているもので、必要に応じて必要な携帯電話機用接続コネクター７ｂをコードコネクター７ｃと接続して携帯電話機Ａの電池に充電をするものである。
【産業上の利用可能性】
【００２６】  本発明の携帯電話機の充電方法は、災害時や遭難時等の緊急時又はキャンプや登山等の商業電源の取れない無い場所や時においても長時間にわたって携帯電話機が使用できるものである。
【図面の簡単な説明】
【００２７】
【図１】  図１は本発明の携帯電話機の充電方法の実施例を説明するための概要図である。
【図２】  図２は本発明の携帯電話機の充電方法の実施例の携帯充電器本体を説明するための正面図である。
【図３】  図３は本発明の携帯電話機の充電方法の実施例の携帯充電器本体を説明するための側面説明図である。
【図４】  図４は本発明の携帯電話機の充電方法の実施例の携帯充電器本体を説明するための側面図である。
【図５】  図５は本発明の携帯電話機の充電方法の実施例を説明するための部品の平面図である。
【符号の説明】
【００２８】Ａ      携帯電話機
Ｂ      商業電源
１      携帯充電器本体
２      手動式発電手段
２ａ    ハンドル杆
２ｂ    手動式発電機
２ｃ    増速器
２ｄ    回転軸
２ｅ    回転板
２ｆ    ヒンジ機構
３      充電手段
４      電源用端子
５      電源用コード
５ａ    電源用ソケット
５ｂ    栓刃付きＡＣアダプタ
６      充電用端子
７      充電用コード
７ａ    充電用ソケット
７ｂ    携帯電話機用接続コネクター
７ｃ    コードコネクター
【図１】
2006325382.tif 000003
【図２】
2006325382.tif 000004
【図３】
2006325382.tif 000005
【図４】
2006325382.tif 000006
【図５】
2006325382.tif 000007